(57)【要約】【課題】  ２次圧低下信号（個別）と階別火災信号（個別）との双方の信号が発生すると、連動制御させる消火システム制御盤において、消火システム制御盤の全体の費用が低い消火システム制御盤を提供することを目的とするものである。【解決手段】  階別火災信号と、流水制御部の２次圧低下信号との双方の信号が発生したときに連動制御する消火システム制御盤において、消火システム制御盤のＤＢツールによって実現し、制御盤のソフトウェアで実現することを特徴とする消火システム制御盤である。【選択図】  図１
2006280643.tif 000002
【特許請求の範囲】
【請求項１】
消火システム制御盤と、加圧送水装置と、流水制御部と、スプリンクラヘッドとを具備する消火システムを制御するプログラムにおいて、
上記流水制御部は２次圧低下検出センサと、遠隔起動弁とを有し、火災信号の発生を検出し、記憶装置に記憶する火災信号検出手順と；
上記スプリンクラヘッドの上流に設置されている流水制御部の２次圧が低下したことを示す２次圧低下信号を、上記２次圧低下検出センサが検出し、記憶装置に記憶する２次圧低下信号検出手順と；
上記火災信号と上記２次圧低下信号とが同時に発生した場合に、上記遠隔起動弁を開くように制御する遠隔起動弁制御手順と；
をコンピュータに実行させるプログラム。
【請求項２】
消火システム制御盤と、加圧送水装置と、流水制御部と、スプリンクラヘッドとを具備する消火システムにおいて、
上記流水制御部は、２次圧低下検出センサと、遠隔起動弁とを有し、火災信号の発生を検出し、記憶装置に記憶する火災信号検出手順と、上記スプリンクラヘッドの上流に設置されている流水制御部の２次圧が低下したことを示す２次圧低下信号を、上記２次圧低下検出センサが検出し、記憶装置に記憶する２次圧低下信号検出手順と、上記火災信号と上記２次圧低下信号とが同時に発生した場合に、上記遠隔起動弁を開くように制御する遠隔起動弁制御手順とをコンピュータに実行させるプログラムを格納しているメモリと；
上記メモリに格納されている上記プログラムを実行するＣＰＵと；
上記遠隔起動弁を開くように制御する遠隔起動弁制御手段と；
を有することを特徴とする消火システム制御盤。
【発明の詳細な説明】
【技術分野】
【０００１】
本発明は、消火システム制御盤においてバルブを制御する場合、２次圧低下信号（個別）と、階別火災信号（個別）との双方の信号が発生したときに連動制御する消火システム制御盤およびプログラムに関する。
【背景技術】
【０００２】
従来の消火システム制御盤では、遠隔起動弁のような予作動式のバルブを制御する場合、２次圧低下信号（個別）と、階別火災信号（個別）とのＡＮＤ条件を満たすと、連動制御を行い、この場合、上記連動制御の機能は、ハードウェアによって構成されている。
【０００３】
図６は、従来の消火システムにおける消火システム消火盤２０を示すブロック図である。
【０００４】
従来の消火システムにおける消火システム制御盤２０は、入力用基板２１と、ＯＲ回路２２と、ＡＮＤ回路２３とを有し、中継器Ｃ３を介して、流水制御部５０に接続されている（たとえば、特許文献１参照）。
【０００５】
ＯＲ回路２２は、火災信号、単独モード信号、火災断定信号のいずれかが発生したことを判断する回路である。
【０００６】
ＡＮＤ回路２３は、ＯＲ回路２２の出力信号と、流水制御部５０の２次圧が低下したことを示す２次圧低下信号とを同時に受信したときに、出力する回路である。
【０００７】
そして、ＡＮＤ回路２３が信号出力すると、中継器Ｃ３を介して、流水制御部５０に信号が送られ、遠隔起動弁が開けられ、スプリンクラヘッドから水が噴出する。
【特許文献１】特開平１０−２４１１９号公報
【発明の開示】
【発明が解決しようとする課題】
【０００８】
従来、予作動式のバルブを制御する場合、２次圧低下信号（個別）と階別火災信号（個別）との双方の信号が発生すると、連動制御させるに際して、ハードウェアを用いているので、ハードウェア費用、配線費用等が高く、消火システム制御盤の全体の費用が高価であるという問題がある。
【０００９】
本発明は、２次圧低下信号（個別）と階別火災信号（個別）との双方の信号が発生すると、連動制御させる消火システムにおいて、その消火システム制御盤の全体の費用が安価で簡便な消火システム制御盤を提供することを目的とするものである。
【課題を解決するための手段】
【００１０】
本発明は、消火システム制御盤と、加圧送水装置と、流水制御部と、スプリンクラヘッドとを具備する消火システムにおいて、上記流水制御部は、２次圧低下検出センサと、遠隔起動弁とを有し、火災信号の発生を検出し、記憶装置に記憶する火災信号検出手順と、上記スプリンクラヘッドの上流に設置されている流水制御部の２次圧が低下したことを示す２次圧低下信号を、上記２次圧低下検出センサが検出し、記憶装置に記憶する２次圧低下信号検出手順と、上記火災信号と上記２次圧低下信号とが同時に発生した場合に、上記遠隔起動弁を開くように制御する遠隔起動弁制御手順とをコンピュータに実行させるプログラムを格納しているメモリと、上記メモリに格納されている上記プログラムを実行するＣＰＵと、上記遠隔起動弁を開くように制御する遠隔起動弁制御手段とを有する消火システム制御盤である。
【発明の効果】
【００１１】
本発明によれば、２次圧低下信号（個別）と階別火災信号（個別）との双方の信号が発生すると、連動制御させるに際して、消火システム制御盤のソフトウェアによって連動制御させるので、消火システム制御盤の全体の費用が安価であるという効果を奏する。
【発明を実施するための最良の形態】
【００１２】
発明を実施するための最良の形態は、以下の実施例である。
【実施例１】
【００１３】
図１は、本発明の実施例１である消火システム制御盤１０が使用されている消火システム１００を示す図である。
【００１４】
消火システム１００は、防災センタＣＴ１と、中継器Ｃ１、Ｃ２、Ｃ３、Ｃ４と、火災感知器ＳＥ１と、加圧送水装置３０と、流水制御部５０と、閉鎖型スプリンクラヘッドＳＨ１と、感熱開放継手ＣＮ１と、開放型スプリンクラヘッドＳＨ２と、補助放水栓ＳＣ１とを有する。
【００１５】
防災センタＣＴ１は、消火システム制御盤１０と、火災受信機ＲＥとを有する。
【００１６】
加圧送水装置３０は、起動用水圧開閉装置３１と、ポンプ制御盤３２と、ポンプＰ１と、制御弁Ｂ４とを有する。
【００１７】
流水制御部５０は、２次圧低下検出センサ５１と、流水検知センサ５２と、遠隔起動弁Ｂ１と、遠隔テスト弁Ｂ２と、端子Ｔとを有し、制御弁Ｂ３が接続されている。
【００１８】
なお、消火システム制御盤１０と中継器Ｃ３とは、遠隔起動弁を開くように制御する遠隔起動弁制御手段の例である。
【００１９】
図２は、消火システム制御盤１０を示すブロックである。
【００２０】
消火システム制御盤１０は、入力用基板１１と、ＯＲ処理部１２と、ＡＮＤ処理部１３とを有する。
【００２１】
ＯＲ処理部１２と、ＡＮＤ処理部１３とは、図示しないＣＰＵとＲＯＭとによって構成されている。上記ＲＯＭには、図３に示すフローチャートに対応するプログラムが格納され、上記ＣＰＵは、上記プログラムを実行する手段である。
【００２２】
つまり、消火システム制御盤１０は、予作動ダブルアクションの制御動作（ＡＮＤ処理）を実現する消火システム制御盤の例である。
【００２３】
消火システム制御１０には、火災信号が入力され、中継器Ｃ３を介して、流水制御部５０が接続されている。
【００２４】
すなわち、消火システム制御盤１０は、階別火災信号（個別）と、流水制御部５０の２次圧低下信号（個別）との双方の信号が同時に発生したときに行う連動制御の設定（予作動ダブルアクションＡＮＤ連動の設定）は、ＤＢツールによって行う。
【００２５】
次に、消火システム制御盤１０の動作について説明する。
【００２６】
図３は、消火システム制御盤１０の動作を示すフローチャートである。
【００２７】
まず、火災階別信号の入力の有無を調べ（Ｓ１）、火災階別信号を入力していれば、弁の２次圧低下信号の有無を調べる（Ｓ２）。この２次圧低下信号は、スプリンクラヘッドが、火災に伴う高温のために、融けて、スプリンクラから水が出るために、スプリンクラヘッドに接続されている流水制御部５０の２次圧が低下し、この２次圧低下を、２次圧低下検出センサ５１が検出し、２次圧低下信号を出力する。２次圧低下信号があれば、２次圧低下信号を記憶装置に記憶し、遠隔起動弁Ｂ１を起動制御する（Ｓ３）。
【００２８】
つまり、火災階別信号の入力と２次圧低下信号とのＡＮＤ条件を満たせば、遠隔起動弁Ｂ１を起動制御し、よって、上記実施例では、ＡＮＤ処理が行われる。
【００２９】
また、火災階別信号の入力がない場合（Ｓ１）、単独モードが入力されている（設定されている）かどうかを調べる（Ｓ４）。この「単独モード」は、火災受信機が故障したときや火災信号の遮断が行われているとき等、消火システム制御盤が火災信号を受信することができない場合に、消火システム制御盤が独自に連動制御を行うことが可能なモードである。
【００３０】
単独モード入力があれば、上記流水制御部５０の２次圧低下信号の有無を調べ（Ｓ２）、２次圧低下検出センサ５１が２次圧低下信号を出力すれば、記憶装置に記憶し、遠隔起動弁Ｂ１を起動制御する（Ｓ３）。
【００３１】
つまり、単独モードの入力と２次圧低下信号とのＡＮＤ条件を満たせば、遠隔起動弁Ｂ１を起動制御し、よって、上記実施例では、ＡＮＤ処理が行われる。
【００３２】
さらに、単独モードの入力がない場合（Ｓ４）、火災断定信号が入力されているかどうかを調べる（Ｓ５）。この火災断定信号は、火災を発見したときに人間が押すボタンが押されたときに発生する信号であり、この火災断定信号を検出すれば、火災であると断定することができ、この場合に、２次圧低下検出センサ５１の検出によって、２次圧低下信号があれば、遠隔起動弁Ｂ１を起動制御する（Ｓ３）。
【００３３】
つまり、火災断定信号の入力と２次圧低下信号とのＡＮＤ条件を満たせば、遠隔起動弁Ｂ１を起動制御し、よって、上記実施例では、ＡＮＤ処理が行われる。
【００３４】
なお、単独モードが入力されず（Ｓ４）、火災断定信号が入力されていない場合（Ｓ５）には、Ｓ１に戻る。
【００３５】
図４は、実施例１において、消火システム１００による通常の予作動式の動作を示すフローチャートである。
【００３６】
Ｓ１では、火災が発生すると、Ｓ２で、煙や熱等を検知した火災感知器ＳＥ１が動作すると、火災中継器Ｃ１を介して、火災受信機ＲＥが火災信号を受信する。これによって、火災受信機ＲＥは、Ｓ３で、火災報知動作を行う（火災表示）とともに火災発生位置を判別し（階別処理）、消火システム制御盤１０へ移報出力する。
【００３７】
消火システム制御盤１０は、Ｓ４で、火災入力表示を行い、しかも流水検知部５０起動信号を、火災発生位置に対応する中継器Ｃ３へ送出する。起動信号を受けた中継器Ｃ３は、Ｓ５で、流水制御部５０中の起動弁Ｂ１を開放動作させ、この起動弁Ｂ１が全開して待機状態になると、流水制御部５０は中継器Ｃ３を介して、消火システム制御盤１０へ、起動弁Ｂ１の開放信号を送出する。起動弁Ｂ１の開放信号を受けた消火システム制御盤１０は、Ｓ６で、当段階の起動弁Ｂ１が開放したことを表示する。
【００３８】
Ｓ７における流水制御部５０の待機状態に続いて、Ｓ８では、閉鎖型スプリンクラヘッドＳＨ１が開栓することによって、２次側配管内の２次圧が低下すると、Ｓ９で、流水制御部５０が開放され、圧力スイッチ（２次圧低下検出センサ５１）が流水を検知すると、中継器Ｃ３は、流水信号を消火システム制御盤１０へ送出する。
【００３９】
Ｓ１０では、消火システム制御盤１０は、放水区域を表示したり警報動作を行ったりするとともに、火災受信機ＲＥへ移報出力するので、Ｓ１１で、火災受信機ＲＥは、消火システム制御盤１０と同様の表示・警報を行う。
【００４０】
その後に、Ｓ１２では、閉鎖型スプリンクラヘッドＳＨ１１は、調圧された消火水を放水し、このために、Ｓ１３では、加圧送水装置３０内の起動用水圧開閉装置３１の圧力が低下し、図示しない圧力スイッチが作動すると、Ｓ１４では、ポンプＰ１が自動起動される。この旨が、中継器Ｃ４によって、Ｓ１５で、消火システム制御盤１０に表示され、また、Ｓ１６で、火災受信機ＲＥに表示される。その後に、Ｓ１７では、流水制御部５０は、調圧された消火水を供給し、Ｓ１８で、火災の消火に至る。
【００４１】
図５は、実施例１における予作動ダブルアクションの動作を示すフローチャートである。
【００４２】
Ｓ１０１で、火災が発生すると、Ｓ１０２で、煙や熱等を検知した火災感知器ＳＥ１が動作すると、火災中継器Ｃ１を介して、火災受信機ＲＥが火災信号を受信する。これによって、火災受信機ＲＥは、Ｓ１０３で、火災報知動作を行う（火災表示）とともに、火災発生位置を判別し、消火システム制御盤１０へ移報出力し（階別処理）、消火システム制御盤１０は、Ｓ１０４で、火災入力表示を行う。
【００４３】
続いて、Ｓ１０５では、火災の熱によって閉鎖型スプリンクラヘッドＳＨ１が開栓することによって、２次側配管内の２次圧が低下すると、Ｓ１０６では、２次圧低下検出センサ５１が作動し、流水制御部５０は、中継器Ｃ３を介して、消火システム制御盤１０へ２次圧低下信号を送出する。
【００４４】
次に、２次圧低下信号を受けた消火システム制御盤１０は、Ｓ１０７で、予作動ダブルアクションのＡＮＤ条件が揃ったので、遠隔起動弁Ｂ１の起動信号を、火災発生位置に対応する中継器Ｃ３へ送出する。起動信号を受けた中継器Ｃ３は、Ｓ１０８で、流水制御部５０中の遠隔起動弁Ｂ１を開放動作させ、この遠隔起動弁Ｂ１が全開して待機状態になると、流水制御部５０は、中継器Ｃ３を介して、消火システム制御盤１０へ、遠隔起動弁Ｂ１の開放信号を送出する。遠隔起動弁Ｂ１の開放信号を受けた消火システム制御盤１０は、Ｓ１０９で、当該階の遠隔起動弁Ｂ１が開放したことを表示する。
【００４５】
遠隔起動弁Ｂ１が開放すると、通常、流水制御部５０の待機状態になるが、既に閉鎖型スプリンクラヘッドＳＨ１が開栓しているので、即座に、流水制御部５０に流水が発生し、Ｓ１１０で、流水検知センサ５２が流水を検知すると、中継器Ｃ３は、流水信号を消火システム制御盤１０へ送出する。
【００４６】
Ｓ１１１では、消火システム制御盤１０は、放水区域を表示したり、警報動作を行ったりするとともに、火災受信機ＲＥへ移報出力するので、Ｓ１１２では、火災受信機ＲＥは、消火システム制御盤１０と同様の表示・警報を行う。
【００４７】
その後に、Ｓ１１３では、閉鎖型スプリンクラヘッドＳＨ１は、調圧された消火水を放水し、このために、Ｓ１１４で、加圧送水装置３０の圧力が低下し、図示しない圧力スイッチが作動すると、Ｓ１１５で、ポンプＰ１が自動起動される。このことは、Ｓ１１６で、消火システム制御盤１０に表示され、また、Ｓ１１７で、火災受信機ＲＥに表示される。その後に、Ｓ１１８で、流水制御部５０は、調圧された消火水を供給し、Ｓ１１９で、火災の消火に至る。
【００４８】
上記通常の予作動式の動作と予作動ダブルアクションの動作とについては、消火システム制御盤１０のゾーン形成手段を利用して、ゾーン単位で、火災発生時にいずれの動作を行うかを設定することが可能である。
【００４９】
ゾーン形成手段は、流水制御部５０の個々に付与されているアドレスのいくつかを１つにまとめてゾーンを形成する手段である。
【００５０】
たとえば、建物の１階、２階、３階等に、それぞれゾーンＺ１、Ｚ２、Ｚ３等を設定し、ゾーンＺ１、Ｚ２には、通常の予作動式を設定し、ゾーンＺ３には、予作動ダブルアクションを設定することによって、建物の１階または２階で火災が発生した場合、通常の予作動式の動作で消火活動が行われ、また、建物の３階で火災が発生した場合、予作動ダブルアクションの動作で消火活動が行われ、実施例１では、上記のように、監視区域の用途等に合わせて、動作を設定することができる。
【００５１】
上記実施例によれば、２次圧低下信号（個別）と階別火災信号（個別）との双方の信号が発生すると、連動制御させるに際して、消火システム制御盤のソフトウェアによって連動制御させるので、消火システム制御盤の全体の費用が安価である。
【００５２】
上記実施例において、火災階別信号の入力と２次圧低下信号とのＡＮＤ条件を満たすか、単独モードの入力と２次圧低下信号とのＡＮＤ条件を満たすか、火災断定信号の入力と２次圧低下信号とのＡＮＤ条件を満たすか、いずれか１つのＡＮＤ条件を満たせば、遠隔起動弁Ｂ１を起動制御し、したがって、上記実施例は、ＯＲ処理をしたことになる。
【００５３】
上記実施例によれば、従来例でハードウェアを使用していたＯＲ回路、ＡＮＤ回路の代わりに、ソフトウェアで処理するので、ハードウェアで実現していたＯＲ回路、ＡＮＤ回路を使用する必要がなく、ハードウェア費用、配線費用等が全て不要になり、消火システム全体の費用が安価である。
【００５４】
すなわち、上記実施例は、消火システム制御盤と、加圧送水装置と、流水制御部と、スプリンクラヘッドとを具備する消火システムを制御するプログラムにおいて、上記流水制御部は、２次圧低下検出センサと、遠隔起動弁とを有し、火災信号の発生を検出し、記憶装置に記憶する火災信号検出手順と、上記スプリンクラの上流に設置されている流水制御部の２次圧が低下したことを示す２次圧低下信号を、上記２次圧低下検出センサが検出し、記憶装置に記憶する２次圧低下信号検出手順と、上記火災信号と上記２次圧低下信号とが同時に発生した場合に、上記遠隔起動弁を開くように制御する遠隔起動弁制御手順とをコンピュータに実行させるプログラムの例である。
【００５５】
また、上記実施例は、消火システム制御盤と、加圧送水装置と、流水制御部と、スプリンクラヘッドとを具備する消火システムにおいて、上記流水制御部は、２次圧低下検出センサと、遠隔起動弁とを有し、火災信号の発生を検出し、記憶装置に記憶する火災信号検出手順と、上記スプリンクラの上流に設置されている流水制御部の２次圧が低下したことを示す２次圧低下信号を、上記２次圧低下検出センサが検出し、記憶装置に記憶する２次圧低下信号検出手順と、上記火災信号と上記２次圧低下信号とが同時に発生した場合に、上記遠隔起動弁を開くように制御する遠隔起動弁制御手順とをコンピュータに実行させるプログラムを格納しているメモリと、上記メモリに格納されている上記プログラムを実行するＣＰＵと、上記遠隔起動弁を開くように制御する遠隔起動弁制御手段とを有する消火システム制御盤である。
【図面の簡単な説明】
【００５６】
【図１】本発明の実施例１である消火システム制御盤１０が使用されている消火システム１００を示す図である。
【図２】消火システム制御盤１０を示すブロックである。
【図３】消火システム制御盤１０の動作を示すフローチャートである。
【図４】実施例１において、消火システム１００による通常の予作動式の動作を示すフローチャートである。
【図５】実施例１における予作動ダブルアクションの動作を示すフローチャートである。
【図６】従来の消火システムにおける消火システム消火盤２０を示すブロック図である。
【符号の説明】
【００５７】
１００…消火システム、
１０…消火システム制御盤、
１１…入力用基板、
１２…ＯＲ処理部、
１３…ＡＮＤ処理部、
３０…加圧送水装置、
５０…流水制御部、
５１…２次圧低下検出センサ、
５２…流水検知センサ、
Ｂ１…遠隔制御弁、
Ｂ２…遠隔テスト弁、
Ｂ３…制御弁、
Ｂ４…制御弁、
ＳＨ１…閉鎖型スプリンクラヘッド、
ＳＨ２…開放型スプリンクラヘッド。
【図１】
2006280643.tif 000003
【図２】
2006280643.tif 000004
【図３】
2006280643.tif 000005
【図４】
2006280643.tif 000006
【図５】
2006280643.tif 000007
【図６】
2006280643.tif 000008